(57)【要約】【課題】  録画した番組の番組データを確実に転送することのできる番組記録装置および番組記録再生システムを提供する。【解決手段】  記録制御部１４は、録画スケジュールにしたがって、チューナ１２に番組データを受信させ、エンコーダ１３に受信した番組データを圧縮して本体記憶部１６に出力させる。転送制御部１７は、転送スケジュールにしたがって、本体記憶部１６内の番組データを送信部１５に送信させる。記録制御部１４は、転送スケジュールにいずれかの夜間で転送するように定められた１個以上の番組データが第１の圧縮レートで圧縮されて本体記憶部１６に保存されている場合に、それらの番組データをその夜間で転送可能か否かを判断し、転送が不可能な場合には、転送可能となるように、それらの番組データのうちの少なくとも１つの圧縮レートを第１の圧縮レートよりも高くなるように変更する。【選択図】        図１
2006157485.tif 000002
【特許請求の範囲】
【請求項１】
圧縮された番組データを記憶するための本体記憶部と、
放送局から送られる番組データを受信するチューナと、
前記受信した番組データを圧縮して、本体記憶部に出力するエンコーダと、
前記本体記憶部内の圧縮された番組データを番組再生装置へ送信する送信部と、
第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、
前記録画スケジュールにおいて、いずれかの第２の期間および前記いずれかの第２の期間の直前の第１の期間のうち少なくとも一方において番組データを録画するように定められている場合に、それらの番組データを前記いずれかの第２の期間で転送するように定めた転送スケジュールを記憶する転送スケジュール記憶部と、
前記録画スケジュールにしたがって、前記チューナに番組データを受信させ、前記エンコーダに受信した番組データを圧縮して前記本体記憶部に出力させる記録制御部と、
前記転送スケジュールにしたがって、前記本体記憶部内の番組データを前記送信部に送信させる転送制御部とを備え、
前記記録制御部は、前記転送スケジュールにいずれかの第２の期間で転送するように定められた１個以上の番組データが第１の圧縮レートで圧縮された場合に、前記１個以上の番組データのすべてを前記いずれかの第２の期間で転送可能か否かを判断し、転送が不可能な場合には、転送が可能となるように前記転送するように定められた１個以上の番組データのうちの少なくとも１つの圧縮レートを前記第１の圧縮レートよりも高くなるように変更する、番組記録装置。
【請求項２】
前記第１の期間は、常時番組の放送が行なわれる時間帯であり、前記第２の期間は、臨時に番組の放送が行なわれる時間帯である、請求項１記載の番組記録装置。
【請求項３】
前記記録制御部は、前記録画スケジュールにおいて録画するように定められている第２の期間のみについて、前記転送が可能か否かの判断、および前記転送が不可能な場合の圧縮レートの変更を行なう、請求項２記載の番組記録装置。
【請求項４】
前記記録制御部は、前記転送が不可能な場合に、前記転送するように定められた番組データのうち第１の期間に録画するように定められている番組データの圧縮レートを変更する、請求項３記載の番組記録装置。
【請求項５】
前記記録制御部は、前記転送が不可能な場合に、その旨を表す警告メッセージを表示する、請求項４記載の番組記録装置。
【請求項６】
圧縮された番組データを記憶するための本体記憶部と、
放送局から送られる番組データを受信するチューナと、
前記受信した番組データを圧縮して、本体記憶部に出力するエンコーダと、
前記本体記憶部内の圧縮された番組データを番組再生装置へ送信する送信部と、
第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、
前記録画スケジュールにおいて、いずれかの第２の期間および前記いずれかの第２の期間の直前の第１の期間のうち少なくとも一方において番組データを録画するように定められている場合に、それらの番組データを前記いずれかの第２の期間で転送するように定めた転送スケジュールを記憶する転送スケジュール記憶部と、
前記録画スケジュールにしたがって、前記チューナに番組データを受信させ、前記エンコーダに受信した番組データを圧縮して前記本体記憶部に出力させる記録制御部と、
前記転送スケジュールにしたがって、前記本体記憶部内の番組データを前記送信部に送信させる転送制御部とを備え、
前記記録制御部は、前記転送スケジュールにいずれかの第２の期間で転送するように定められた１個以上の番組データが第１の圧縮レートで圧縮された場合に、前記１個以上の番組データのすべてを前記いずれかの第２の期間で転送可能か否かを判断し、転送が不可能な場合には、ユーザの選択にしたがって、転送が可能となるように、前記転送するように定められた１個以上の番組データのうちの少なくとも１つの圧縮レートを前記第１の圧縮レートよりも高くなるように変更する、または前記転送するように定められた１個以上の番組データのうちの少なくとも１つの録画設定の取消しのいずれかを行なう、番組記録装置。
【請求項７】
番組データを記憶するための本体記憶部と、
放送局から送られる番組データを受信し、前記本体記憶部に出力するチューナと、
前記本体記憶部内の番組データを番組再生装置へ送信する送信部と、
第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、
前記録画スケジュールにおいて、いずれかの第２の期間および前記いずれかの第２の期間の直前の第１の期間のうち少なくとも一方において番組データを録画するように定められている場合に、それらの番組データを前記いずれかの第２の期間で転送するように定めた転送スケジュールを記憶する転送スケジュール記憶部と、
前記録画スケジュールにしたがって、前記チューナに番組データを受信させて前記本体記憶部に出力させる記録制御部と、
前記転送スケジュールにしたがって、前記本体記憶部内の番組データを前記送信部に送信させる転送制御部とを備え、
前記記録制御部は、前記転送スケジュールにいずれかの第２の期間で転送するように定められた１個以上の番組データのすべてを前記いずれかの第２の期間で転送可能か否かを判断し、転送が不可能な場合には、前記いずれかの第２の期間と前記いずれかの第２の期間の後続の１個以上の第２の期間で、前記転送するように定められた１個以上の番組データを分割転送する、番組記録装置。
【請求項８】
前記第１の期間は、常時番組の放送が行なわれる時間帯であり、前記第２の期間は、臨時に番組の放送が行なわれる時間帯である、請求項７記載の番組記録装置。
【請求項９】
前記記録制御部は、前記録画スケジュールにおいて録画するように定められている第２の期間のみについて、前記転送が可能か否かの判断、および前記転送が不可能な場合の分割転送を行なう、請求項８記載の番組記録装置。
【請求項１０】
前記後続の１個以上の第２の期間は、前記分割転送の対象である１個以上の番組データ以外の番組データの転送が行なわれない期間である、請求項９記載の番組記録装置。
【請求項１１】
番組記録装置と番組再生装置とからなる番組記録再生システムであって、
前記番組記録装置は、
圧縮された番組データを記憶するための本体記憶部と、
放送局から送られる番組データを受信するチューナと、
前記受信した番組データを圧縮して、本体記憶部に出力するエンコーダと、
前記本体記憶部内の圧縮された番組データを番組再生装置へ送信する送信部と、
第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、
前記録画スケジュールにおいて、いずれかの第２の期間および前記いずれかの第２の期間の直前の第１の期間のうち少なくとも一方において番組データを録画するように定められている場合に、それらの番組データを前記いずれかの第２の期間で転送するように定めた転送スケジュールを記憶する転送スケジュール記憶部と、
前記録画スケジュールにしたがって、前記チューナに番組データを受信させ、前記エンコーダに受信した番組データを圧縮して前記本体記憶部に出力させる記録制御部と、
前記転送スケジュールにしたがって、前記本体記憶部内の番組データを前記送信部に送信させる転送制御部とを備え、
前記記録制御部は、前記転送スケジュールにいずれかの第２の期間で転送するように定められた１個以上の番組データが第１の圧縮レートで圧縮された場合に、前記１個以上の番組データのすべてを前記いずれかの第２の期間で転送可能か否かを判断し、転送が不可能な場合には、転送が可能となるように前記転送するように定められた１個以上の番組データのうちの少なくとも１つの圧縮レートを前記第１の圧縮レートよりも高くなるように変更し、
前記番組再生装置は、
前記番組記録装置から圧縮された番組データを受信する受信部と、
前記受信した番組データの再生を制御する再生制御部と、
前記再生制御部からの指示で、前記受信した番組データを解凍するデコーダとを備えた番組記録再生システム。
【請求項１２】
番組記録装置と番組再生装置とからなる番組記録再生システムであって、
前記番組記録装置は、
圧縮された番組データを記憶するための本体記憶部と、
放送局から送られる番組データを受信するチューナと、
前記受信した番組データを圧縮して、本体記憶部に出力するエンコーダと、
前記本体記憶部内の圧縮された番組データを番組再生装置へ送信する送信部と、
第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、
前記録画スケジュールにおいて、いずれかの第２の期間および前記いずれかの第２の期間の直前の第１の期間のうち少なくとも一方において番組データを録画するように定められている場合に、それらの番組データを前記いずれかの第２の期間で転送するように定めた転送スケジュールを記憶する転送スケジュール記憶部と、
前記録画スケジュールにしたがって、前記チューナに番組データを受信させ、前記エンコーダに受信した番組データを圧縮して前記本体記憶部に出力させる記録制御部と、
前記転送スケジュールにしたがって、前記本体記憶部内の番組データを前記送信部に送信させる転送制御部とを備え、
前記記録制御部は、前記転送スケジュールにいずれかの第２の期間で転送するように定められた１個以上の番組データが第１の圧縮レートで圧縮された場合に、前記１個以上の番組データのすべてを前記いずれかの第２の期間で転送可能か否かを判断し、転送が不可能な場合には、ユーザの選択にしたがって、転送が可能となるように、前記転送するように定められた１個以上の番組データのうちの少なくとも１つの圧縮レートを前記第１の圧縮レートよりも高くなるように変更する、または前記転送するように定められた１個以上の番組データのうちの少なくとも１つの録画設定の取消しのいずれかを行ない、
前記番組再生装置は、
前記番組記録装置から圧縮された番組データを受信する受信部と、
前記受信した番組データの再生を制御する再生制御部と、
前記再生制御部からの指示で、前記受信した番組データを解凍するデコーダとを備えた番組記録再生システム。
【請求項１３】
番組記録装置と番組再生装置とからなる番組記録再生システムであって、
前記番組記録装置は、
番組データを記憶するための本体記憶部と、
放送局から送られる番組データを受信し、前記本体記憶部に出力するチューナと、
前記本体記憶部内の番組データを番組再生装置へ送信する送信部と、
第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、
前記録画スケジュールにおいて、いずれかの第２の期間および前記いずれかの第２の期間の直前の第１の期間のうち少なくとも一方において番組データを録画するように定められている場合に、それらの番組データを前記いずれかの第２の期間で転送するように定めた転送スケジュールを記憶する転送スケジュール記憶部と、
前記録画スケジュールにしたがって、前記チューナに番組データを受信させて前記本体記憶部に出力させる記録制御部と、
前記転送スケジュールにしたがって、前記本体記憶部内の番組データを前記送信部に送信させる転送制御部とを備え、
前記記録制御部は、前記転送スケジュールにいずれかの第２の期間で転送するように定められた１個以上の番組データのすべてを前記いずれかの第２の期間で転送可能か否かを判断し、転送が不可能な場合には、前記いずれかの第２の期間と前記いずれかの第２の期間の後続の１個以上の第２の期間で、前記転送するように定められた１個以上の番組データを分割転送し、
前記番組再生装置は、
前記番組記録装置から圧縮された番組データを受信する受信部と、
前記受信した番組データの再生を制御する再生制御部とを備えた番組記録再生システム。
【発明の詳細な説明】
【技術分野】
【０００１】
本発明は、番組記録装置および番組記録再生システム関し、特に、番組の録画によって蓄積された番組データを番組再生装置に転送する番組記録装置、およびそのような番組記録装置と番組再生装置とからなる番組記録再生システムに関する。
【背景技術】
【０００２】
近年、放送局から送られてくる番組データを番組記録装置で録画し、番組データを携帯形の番組再生装置に転送して、番組再生装置で番組データの再生を行なう番組記録再生システムが提案されている。
【０００３】
たとえば、特許文献１には、以下のような番組記録再生システムが開示されている。すなわち、データ放送を受信可能なテレビジョン受信機（番組記録装置）にデータ出力端子と充電端子を有するスロット部を設ける。二次電池を内蔵する携帯情報端末（番組再生装置）をスロット部に装着しているとき、充電端子を通じて二次電池が充電されるとともに、データ出力端子を通じて供給されるデータが携帯情報端末（番組再生装置）中のデータストレージに記憶される。データストレージに記憶されたデータは、携帯中等に、携帯情報端末（番組再生装置）の液晶表示装置上で再生することができる。
【０００４】
ところで、このような番組記録再生システムでは、番組記録装置が日中に番組の録画を行なって蓄積した番組データは、そのすぐ後の放送が停止する夜間に番組再生装置に転送される。
【特許文献１】特開２００１−１４４６３７号公報
【発明の開示】
【発明が解決しようとする課題】
【０００５】
しかしながら、番組記録装置が日中に録画した番組の番組データの容量が多い場合には、そのすぐ後の夜間において番組再生装置への転送を完了することができず、その結果番組再生装置では転送されなかった番組データを再生することができない。
【０００６】
また、夜間に臨時に放送が行なわれる特別番組を録画するような場合には、その夜間において、その特別番組の録画、その特別番組の番組データの転送、および日中に録画した番組の番組データの転送が必要となり、転送する番組データの容量が多くなるだけでなく、転送と同時に録画も行なわなければならず処理量が多くなることから、番組データの転送を完了することができず、その結果番組再生装置では転送されなかった番組データを再生することができない。
【０００７】
それゆえに、本発明の目的は、録画した番組の番組データを確実に転送することのできる番組記録装置および番組記録再生システムを提供することである。
【課題を解決するための手段】
【０００８】
上記課題を解決するために、本発明のある局面に係る番組記録装置は、圧縮された番組データを記憶するための本体記憶部と、放送局から送られる番組データを受信するチューナと、受信した番組データを圧縮して、本体記憶部に出力するエンコーダと、本体記憶部内の圧縮された番組データを番組再生装置へ送信する送信部と、第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、録画スケジュールにおいて、いずれかの第２の期間およびいずれかの第２の期間の直前の第１の期間のうち少なくとも一方において番組データを録画するように定められている場合に、それらの番組データをいずれかの第２の期間で転送するように定めた転送スケジュールを記憶する転送スケジュール記憶部と、録画スケジュールにしたがって、チューナに番組データを受信させ、エンコーダに受信した番組データを圧縮して本体記憶部に出力させる記録制御部と、転送スケジュールにしたがって、本体記憶部内の番組データを送信部に送信させる転送制御部とを備え、記録制御部は、転送スケジュールにいずれかの第２の期間で転送するように定められた１個以上の番組データが第１の圧縮レートで圧縮された場合に、１個以上の番組データのすべてをいずれかの第２の期間で転送可能か否かを判断し、転送が不可能な場合には、転送が可能となるように転送するように定められた１個以上の番組データのうちの少なくとも１つの圧縮レートを第１の圧縮レートよりも高くなるように変更する。
【０００９】
好ましくは、第１の期間は、常時番組の放送が行なわれる時間帯であり、第２の期間は、臨時に番組の放送が行なわれる時間帯である。
【００１０】
好ましくは、記録制御部は、録画スケジュールにおいて録画するように定められている第２の期間のみについて、転送が可能か否かの判断、および転送が不可能な場合の圧縮レートの変更を行なう。
【００１１】
好ましくは、記録制御部は、転送が不可能な場合に、転送するように定められた番組データのうち第１の期間に録画するように定められている番組データの圧縮レートを変更する。
【００１２】
好ましくは、記録制御部は、転送が不可能な場合に、その旨を表す警告メッセージを表示する。
【００１３】
本発明の別の局面に係る番組記録装置は、圧縮された番組データを記憶するための本体記憶部と、放送局から送られる番組データを受信するチューナと、受信した番組データを圧縮して、本体記憶部に出力するエンコーダと、本体記憶部内の圧縮された番組データを番組再生装置へ送信する送信部と、第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、録画スケジュールにおいて、いずれかの第２の期間およびいずれかの第２の期間の直前の第１の期間のうち少なくとも一方において番組データを録画するように定められている場合に、それらの番組データをいずれかの第２の期間で転送するように定めた転送スケジュールを記憶する転送スケジュール記憶部と、録画スケジュールにしたがって、チューナに番組データを受信させ、エンコーダに受信した番組データを圧縮して本体記憶部に出力させる記録制御部と、転送スケジュールにしたがって、本体記憶部内の番組データを送信部に送信させる転送制御部とを備え、記録制御部は、転送スケジュールにいずれかの第２の期間で転送するように定められた１個以上の番組データが第１の圧縮レートで圧縮された場合に、１個以上の番組データのすべてをいずれかの第２の期間で転送可能か否かを判断し、転送が不可能な場合には、ユーザの選択にしたがって、転送が可能となるように、転送するように定められた１個以上の番組データのうちの少なくとも１つの圧縮レートを第１の圧縮レートよりも高くなるように変更する、または転送するように定められた１個以上の番組データのうちの少なくとも１つの録画設定の取消しのいずれかを行なう。
【００１４】
本発明のさらに別の局面に係る番組記録装置は、番組データを記憶するための本体記憶部と、放送局から送られる番組データを受信し、本体記憶部に出力するチューナと、本体記憶部内の番組データを番組再生装置へ送信する送信部と、第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、録画スケジュールにおいて、いずれかの第２の期間およびいずれかの第２の期間の直前の第１の期間のうち少なくとも一方において番組データを録画するように定められている場合に、それらの番組データをいずれかの第２の期間で転送するように定めた転送スケジュールを記憶する転送スケジュール記憶部と、録画スケジュールにしたがって、チューナに番組データを受信させて本体記憶部に出力させる記録制御部と、転送スケジュールにしたがって、本体記憶部内の番組データを送信部に送信させる転送制御部とを備え、記録制御部は、転送スケジュールにいずれかの第２の期間で転送するように定められた１個以上の番組データのすべてをいずれかの第２の期間で転送可能か否かを判断し、転送が不可能な場合には、いずれかの第２の期間といずれかの第２の期間の後続の１個以上の第２の期間で、転送するように定められた１個以上の番組データを分割転送する。
【００１５】
好ましくは、第１の期間は、常時番組の放送が行なわれる時間帯であり、第２の期間は、臨時に番組の放送が行なわれる時間帯である。
【００１６】
好ましくは、記録制御部は、録画スケジュールにおいて録画するように定められている第２の期間のみについて、転送が可能か否かの判断、および転送が不可能な場合の分割転送を行なう。
【００１７】
好ましくは、後続の１個以上の第２の期間は、分割転送の対象である１個以上の番組データ以外の番組データの転送が行なわれない期間である。
【００１８】
本発明のある局面に係る番組記録再生システムは、番組記録装置と番組再生装置とからなる番組記録再生システムであって、番組記録装置は、圧縮された番組データを記憶するための本体記憶部と、放送局から送られる番組データを受信するチューナと、受信した番組データを圧縮して、本体記憶部に出力するエンコーダと、本体記憶部内の圧縮された番組データを番組再生装置へ送信する送信部と、第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、録画スケジュールにおいて、いずれかの第２の期間およびいずれかの第２の期間の直前の第１の期間のうち少なくとも一方において番組データを録画するように定められている場合に、それらの番組データをいずれかの第２の期間で転送するように定めた転送スケジュールを記憶する転送スケジュール記憶部と、録画スケジュールにしたがって、チューナに番組データを受信させ、エンコーダに受信した番組データを圧縮して本体記憶部に出力させる記録制御部と、転送スケジュールにしたがって、本体記憶部内の番組データを送信部に送信させる転送制御部とを備え、記録制御部は、転送スケジュールにいずれかの第２の期間で転送するように定められた１個以上の番組データが第１の圧縮レートで圧縮された場合に、１個以上の番組データのすべてをいずれかの第２の期間で転送可能か否かを判断し、転送が不可能な場合には、転送が可能となるように転送するように定められた１個以上の番組データのうちの少なくとも１つの圧縮レートを第１の圧縮レートよりも高くなるように変更し、番組再生装置は、番組記録装置から圧縮された番組データを受信する受信部と、受信した番組データの再生を制御する再生制御部と、再生制御部からの指示で、受信した番組データを解凍するデコーダとを備える。
【００１９】
本発明の別の局面に係る番組記録再生システムは、番組記録装置と番組再生装置とからなる番組記録再生システムであって、番組記録装置は、圧縮された番組データを記憶するための本体記憶部と、放送局から送られる番組データを受信するチューナと、受信した番組データを圧縮して、本体記憶部に出力するエンコーダと、本体記憶部内の圧縮された番組データを番組再生装置へ送信する送信部と、第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、録画スケジュールにおいて、いずれかの第２の期間およびいずれかの第２の期間の直前の第１の期間のうち少なくとも一方において番組データを録画するように定められている場合に、それらの番組データをいずれかの第２の期間で転送するように定めた転送スケジュールを記憶する転送スケジュール記憶部と、録画スケジュールにしたがって、チューナに番組データを受信させ、エンコーダに受信した番組データを圧縮して本体記憶部に出力させる記録制御部と、転送スケジュールにしたがって、本体記憶部内の番組データを送信部に送信させる転送制御部とを備え、記録制御部は、転送スケジュールにいずれかの第２の期間で転送するように定められた１個以上の番組データが第１の圧縮レートで圧縮された場合に、１個以上の番組データのすべてをいずれかの第２の期間で転送可能か否かを判断し、転送が不可能な場合には、ユーザの選択にしたがって、転送が可能となるように、転送するように定められた１個以上の番組データのうちの少なくとも１つの圧縮レートを第１の圧縮レートよりも高くなるように変更する、または転送するように定められた１個以上の番組データのうちの少なくとも１つの録画設定の取消しのいずれかを行ない、番組再生装置は、番組記録装置から圧縮された番組データを受信する受信部と、受信した番組データの再生を制御する再生制御部と、再生制御部からの指示で、受信した番組データを解凍するデコーダとを備える。
【００２０】
本発明のさらに別の局面に係る番組記録再生システムは、番組記録装置と番組再生装置とからなる番組記録再生システムであって、番組記録装置は、番組データを記憶するための本体記憶部と、放送局から送られる番組データを受信し、本体記憶部に出力するチューナと、本体記憶部内の番組データを番組再生装置へ送信する送信部と、第１の期間と第２の期間の対が繰り返されるタイムスケジュールであって、少なくとも１つの第１または第２の期間において放送される番組の番組データを録画するように定めた録画スケジュールを記憶する録画スケジュール記憶部と、録画スケジュールにおいて、いずれかの第２の期間およびいずれかの第２の期間の直前の第１の期間のうち少なくとも一方において番組データを録画するように定められている場合に、それらの番組データをいずれかの第２の期間で転送するように定めた転送スケジュールを記憶する転送スケジュール記憶部と、録画スケジュールにしたがって、チューナに番組データを受信させて本体記憶部に出力させる記録制御部と、転送スケジュールにしたがって、本体記憶部内の番組データを送信部に送信させる転送制御部とを備え、記録制御部は、転送スケジュールにいずれかの第２の期間で転送するように定められた１個以上の番組データのすべてをいずれかの第２の期間で転送可能か否かを判断し、転送が不可能な場合には、いずれかの第２の期間といずれかの第２の期間の後続の１個以上の第２の期間で、転送するように定められた１個以上の番組データを分割転送し、番組再生装置は、番組記録装置から圧縮された番組データを受信する受信部と、受信した番組データの再生を制御する再生制御部とを備える。
【発明の効果】
【００２１】
本発明によれば、録画した番組の番組データを確実に転送することができる。
【発明を実施するための最良の形態】
【００２２】
以下、本発明の実施の形態について、図面を用いて説明する。
【００２３】
［第１の実施形態］
第１の実施形態は、夜間時間帯において、夜間時間帯の番組の録画と、その録画した番組の番組データおよびその直前の日中時間帯に録画した番組の番組データの転送の両方を行なう場合に、夜間時間帯にそれらの番組データがデフォルトの圧縮レートで圧縮されていた場合、それぞれの番組データの転送が完了できないときに、番組データの圧縮レートを増加、または録画する番組数を減らす機能を有する番組記録再生システムに関する。
【００２４】
（番組記録再生システムの構成）
図１は、第１の実施形態に係る番組記録再生システムの構成を示す図である。
【００２５】
図１を参照して、番組記録再生システムは、番組記録装置１０と番組再生装置２０とからなる。
【００２６】
番組記録装置１０は、チューナ１２と、エンコーダ１３と、記録制御部１４と、本体記憶部１６と、通信部１５と、操作入力部１１と、ディスプレイ５と、転送制御部１７と、録画スケジュール記憶部１８と、転送スケジュール記憶部１９とを備える。
【００２７】
チューナ１２は、記録制御部１４の指示にしたがって、放送局から送信されたアナログ形式の映像および音声データからなる番組データを受信する。
【００２８】
エンコーダ１３は、記録制御部１４の指示にしたがって、チューナ１２で受信したアナログ形式の番組データをデジタルのＭＰＥＧ方式に圧縮して記憶する。
【００２９】
エンコーダ１３による圧縮レートは、α0、α1、α２、・・・、αNのうちのいずれかである。圧縮レートは、α0、α1、α2、・・・、αNの順に高くなる。圧縮レートは、圧縮後のデータ量／圧縮前のデータ量で表される。圧縮レートが高くなると、圧縮後のデータ量／圧縮前のデータ量が小さくなり、圧縮後のデータ量が小さくなる。
【００３０】
本体記憶部１６は、エンコーダ１３によって圧縮された番組データを記憶する。
【００３１】
送信部１５は、本体記憶部１６に蓄積された圧縮された番組データを番組再生装置２０に送信する。
【００３２】
ディスプレイ５は、夜間時間帯において本来転送すべき番組データの転送が完了しないと判断されたときに、記録制御部１４から送られる警告メッセージを表示する。
【００３３】
操作入力部１１は、夜間時間帯において本来転送すべき番組データの転送が完了しないと判断されたときに、ユーザから、録画設定の取消しまたは圧縮レートの変更の選択を受付ける。
【００３４】
録画スケジュール記憶部１８は、録画スケジュールを記憶する。録画スケジュールは、日中時間帯（６：００−２６：００（翌日の２：００））と夜間時間帯（２：００−６：００）の対が繰り返されるタイムスケジュールであり、少なくとも１つの日中時間帯または夜間時間帯において放送される番組の番組データの録画の設定を定める。日中時間帯は、常時番組が放送される時間帯であり、夜間時間帯は、臨時的に番組が放送される時間帯である。録画の設定は、録画する放送時刻、放送チャンネル、圧縮レートが設定される。圧縮レートは、初期値としてデフォルト値α０が設定され、必要に応じてα０よりも高い圧縮レートに変更される。
【００３５】
転送スケジュール記憶部１９は、転送スケジュールを記憶する。転送スケジュールは、録画スケジュールにおいて、いずれかの夜間時間帯およびその夜間時間帯の直前の日中時間帯のうち少なくとも一方において番組データを録画するように定められている場合に、それらの番組データをその夜間時間帯で転送することを定める。
【００３６】
なお、夜間時間帯に突発的に録画が行なわない限り、日中時間帯に録画した番組の番組データのすべてを直後の夜間時間帯に転送できることを前提とする。これは、日中時間帯の録画設定をするときには、夜間時間帯に転送可能な量だけの録画予約を受付けるという条件を課すことで実現できる。
【００３７】
転送制御部１７は、転送スケジュールにしたがって、本体記憶部１６内の番組データを送信部１５に送信させる。
【００３８】
記録制御部１４は、録画スケジュールにしたがって、チューナ１２に番組データを受信させ、エンコーダ１３に受信した番組データを圧縮して本体記憶部１６に出力させる。また、記録制御部１４は、転送スケジュールにいずれかの夜間時間帯で転送するように定められた１個以上の番組データがデフォルトの圧縮レートα０で圧縮された場合に、それら１個以上の番組データのすべてをその夜間時間帯で転送可能か否かを判断し、転送が不可能な場合には、転送が可能となるように、それらの１個以上の番組データのうちの少なくとも１つの圧縮レートをデフォルトの圧縮レートα０よりも高くなるように変更する。圧縮レートの変更方法の詳細は後述する。
【００３９】
番組再生装置２０は、操作入力部２２と、記録制御部２３と、端末記憶部２６と、デコーダ２４と、受信部２５と、再生制御部２９と、ディスプレイ２７と、スピーカ２８とを備える。
【００４０】
受信部２５は、番組記録装置１０から圧縮された番組データを受信する。
【００４１】
端末記憶部２６は、番組記録装置１０から送信された圧縮された番組データを記憶する。
【００４２】
記録制御部２３は、受信した番組データを端末記憶部２６に書込む。
【００４３】
デコーダ２４は、再生制御部２９の指示で、端末記憶部２６内の圧縮された番組データを読出して解凍する。
【００４４】
操作入力部２２は、ユーザから再生指示を受付ける。
【００４５】
再生制御部２９は、再生指示を受付けたときに、デコーダ２４を指示して番組データを解凍させ、解凍後の番組データを再生する。
【００４６】
ディスプレイ２７は、再生される番組データの画像を表示する。
【００４７】
スピーカ２８は、再生される番組データの音声を出力する。
【００４８】
（動作）
図２は、第１の実施形態に係る番組記録再生システムの動作手順を表わすフローチャートである。
【００４９】
まず、番組記録装置１０の操作入力部１１は、ユーザから番組の録画要求を受付ける。番組記録装置１０の記録制御部１４は、録画要求された番組の放送時刻と放送チャネルとを指定した録画スケジュールを設定し、設定した録画スケジュールを録画スケジュール記憶部１９に保存する（ステップＳ１０１）。
【００５０】
次に、番組記録装置１０の転送制御部１７は、録画スケジュールにしたがって、転送スケジュールを設定し、設定した転送スケジュール記憶部１０に保存する（ステップＳ１０２）。
【００５１】
次に、番組記録装置１０の記録制御部１４は、録画スケジュールを参照して、夜間時間帯に番組の録画が設定されているときには（ステップＳ１０３でＹＥＳ）、録画スケジュールおよび転送スケジュールを参照して、番組記録装置１０の処理能力の限界のため、その夜間時間帯において、本来転送すべき番組データの転送が完了不可能か否かを判断する（ステップＳ１０４）。
【００５２】
番組記録装置１０の記録制御部１４は、その夜間時間帯において、本来転送すべき番組データの転送が不可能な場合には（ステップＳ１０４でＹＥＳ）、不可能な旨の警告メッセージをディスプレイ５に表示する（ステップＳ１０５）。
【００５３】
番組記録装置１０の操作入力部１１は、ユーザから番組の録画時の圧縮レートの低減か、録画番組数を減らすかのいずれかの指定を受付ける（ステップＳ１０６）。
【００５４】
番組記録装置１０の記録制御部１４は、圧縮レートの低減の指定を受けたときには（ステップＳ１０６でＹＥＳ）、本来転送すべき番組データの転送が完了するための圧縮レートを算出する。記録制御部１４は、録画スケジュール内の圧縮レートを算出した圧縮レートに書換える（ステップＳ１０７）。
【００５５】
記録制御部１４は、録画要求した番組の録画の取消しの指定を受けたときには（ステップＳ１０６でＮＯ）、録画スケジュールおよび転送スケジュールから、取消し指定された番組を削除する（ステップＳ１０８）。
【００５６】
番組記録装置１０の記録制御部１４は、チューナ１２に録画スケジュール記憶部１８内の録画スケジュールに定められた放送時刻および放送チャネルにしたがって、番組データを受信させる。そして記録制御部１４は、エンコーダ１３に録画スケジュールに定められた圧縮レートによって、受信した番組データを圧縮させて本体記憶部１６に保存させる（ステップＳ１０９）。
【００５７】
番組記録装置１０の転送制御部１７は、転送スケジュール記憶部１９内の転送スケジュールに定められた時刻にしたがって、本体記憶部１６から番組データを取出して、送信部１５に出力する。番組記録装置１０の送信部１５は、番組データを番組再生装置２０に送信する。番組再生装置２０の受信部２５は、番組データを番組記録装置１０から受信する。番組再生装置２０の記録制御部２３は、受信した番組データを端末記憶部２６に保存する（ステップＳ１１０）。
【００５８】
番組再生装置２０の操作入力部２２は、ユーザから番組の再生要求を受付ける。番組再生装置２０の再生制御部２９は、デコーダ２４を指示して、再生指示があった番組データを端末記憶部２６から読出して復号化させて、ディスプレイ２７およびスピーカ２８に出力する（ステップＳ１１１）。
【００５９】
（ステップＳ１０４の処理の詳細）
次に、ステップＳ１０４の詳細を説明する。
【００６０】
図３は、ステップＳ１０４における本来転送すべき番組データの転送が完了可能か否かを判断する処理の詳細を表わすフローチャートである。
【００６１】
図３を参照して、番組記録装置１０の記録制御部１４は、夜間時間帯に番組の録画と転送のいずれもが行なわれるときには、転送レートが通常時（非録画時）半分になるものとして、その録画と転送とがいずれも行なわれる夜間時間帯において転送処理に割当て可能な時間Ｔａを算出する。夜間時間帯をＴｙ時間、夜間時間帯の番組の録画時間をＴｙｒ時間、通常時の転送レートをＲ（ｋｂｐｓ）としたときに、Ｔａ＝（Ｔｙ−Ｔｙｒ）＋Ｔｙｒ／２により算出される（ステップＳ２０１）。
【００６２】
次に、記録制御部１４は、録画と転送とがいずれも行なわれる夜間時間帯の各番組の録画において、番組データをデフォルトの圧縮レートα０（ｋｂｐｓ）で圧縮して記録したときに、それらの番組データの転送に必要な時間Ｔ１をＴ１＝α０×Ｔｙｒ／Ｒの式で算出する（ステップＳ２０２）。
【００６３】
次に、記録制御部１４は、録画と転送とがいずれも行なわれる夜間時間帯の直前の日中時間帯の各番組の録画において、番組データをデフォルトの圧縮レートα０（ｋｂｐｓ）で圧縮して記録したときに、それらの番組データの転送に必要な時間Ｔ２を算出する。日中時間帯の番組の録画時間をＴｎｒ時間としたときに、Ｔ２＝α０×Ｔｎｒ／Ｒにより算出される（ステップＳ２０３）。
【００６４】
次に、記録制御部１４は、録画と転送とがいずれも行なわれる夜間時間帯において本来転送すべき番組データの転送に要する時間Ｔ３をＴ１とＴ２とを合計して算出する（ステップＳ２０４）。
【００６５】
次に、記録制御部１４は、転送処理に割当て可能な時間Ｔａと転送時間Ｔ３の大きさを比較し、Ｔａ≧Ｔ３のときには（ステップＳ２０５でＮＯ）、番組データの転送が完了可能と判断し、図２に示すステップＳ１０９に進む。
【００６６】
一方、記録制御部１４は、Ｔａ＜Ｔ３のときには（ステップＳ２０５でＹＥＳ）、番組データの転送が完了不可能と判断し、図２に示すステップ１０５に進む。
【００６７】
（ステップＳ１０７の処理の詳細）
次に、ステップＳ１０７の処理の詳細を説明する。
【００６８】
図４は、ステップＳ１０７における圧縮レートを計算する処理の詳細を表わすフローチャートである。
【００６９】
図４を参照して、番組記録装置１０の記録制御部１４は、夜間時間帯をＴｙ時間、夜間時間帯の番組の録画時間をＴｙｒ時間、日中時間帯の番組の録画時間をＴｎｒ時間、通常時の転送レートをＲ（ｋｂｐｓ）としたときに、録画と転送とがいずれも行なわれる夜間時間帯の番組の録画において、番組データを圧縮レートα０（ｋｂｐｓ）で圧縮して記録したときに、その番組データの転送に必要な時間Ｔ１＝α０×Ｔｙｒ／Ｒと、録画と転送とがいずれも行なわれる夜間時間帯の直前の日中時間帯の番組の録画において、番組データを圧縮レートＸで圧縮して記録したときに、その番組データの転送に必要な時間Ｔ２＝Ｘ×Ｔｎｒ／Ｒとを合計した転送時間Ｔｘ＝（α０×Ｔｙｒ＋Ｘ×Ｔｎｒ）／Ｒと、録画と転送とがいずれも行なわれる夜間時間帯において転送処理に割当て可能な時間Ｔａ＝（Ｔｙ−Ｔｙｒ）＋Ｔｙｒ／２との大きさの関係がＴａ≧ＴｘとなるためのＸの範囲を算出する（ステップＳ３０１）。
【００７０】
次に、記録制御部１４は、圧縮レートα１、α２、・・・、αｎのうち、算出した範囲内の最も低い圧縮レート、つまり値が最も大きな圧縮レートを選択する（ステップＳ３０２）。
【００７１】
（録画および転送スケジュールの例１）
次に、録画および転送スケジュールの例を説明する。
【００７２】
図５は、録画スケジュールの例を表わす図である。図６は、図５の録画スケジュールに基づく転送スケジュールの例を表わす図である。図７は、図５の録画スケジュールおよび図６の転送スケジュールを簡略化して併記した図である。
【００７３】
図５の録画スケジュールでは、夜間時間帯に番組の録画が設定されていない。そのため、各夜間時間帯において、本来転送すべき番組データの転送を完了することができる。したがって、図２のフローチャートでは、ステップＳ１０３でＮＯとなり、番組の録画の取消し、あるいは圧縮レートの変更などが行なわれず、図５の録画スケジュールは修正されない。
【００７４】
（録画および転送スケジュールの例２）
次に、録画および転送スケジュールの別の例を説明する。
【００７５】
図８は、録画スケジュールの例を表わす図である。図９は、図８の録画スケジュールに基づく転送スケジュールの例を表わす図である。図１０（ａ）は、図８の録画スケジュールおよび図９の転送スケジュールを簡略化して併記した図である。図１０（ｂ）は、図１０（ａ）中の一部の詳細を表わす図である。
【００７６】
夜間時間帯を午前２時〜午前６時とすると、Ｔｙ＝４ｈ（時間）となる。図８を参照すると、録画と転送とがいずれも行なわれる１１／９夜間時間帯の番組ＡＡの録画時間Ｔｙｒ＝２ｈである。したがって、１１／９夜間時間帯において転送処理に割当て可能な時間Ｔａは、以下のように算出される。
【００７７】
Ｔａ＝（Ｔｙ−Ｔｙｒ）＋Ｔｙｒ／２
＝（４（ｈ）−２（ｈ））＋２（ｈ）／２＝３（ｈ）
また、通常時の転送レートＲ＝１０００（ｋｂｐｓ）とし、デフォルトの圧縮レートα０＝３８４（ｋｂｐｓ）とすると、１１／９夜間時間帯に録画した番組データの転送に必要な時間Ｔ１は、以下のように算出される。
【００７８】
Ｔ１＝α０×Ｔｙｒ／Ｒ
＝３８４（ｋｂｐｓ）×２（ｈ）／１０００（ｋｂｐｓ）＝０．７６８（ｈ）
また、図８を参照すると、録画と転送とがいずれも行なわれる１１／９夜間時間帯の直前の１１／８日中時間帯の番組Ｄ、Ｅ、Ｆの録画時間はＴｎｒ＝４ｈである。したがって、１１／８日中時間帯に録画した番組データの転送に必要な時間Ｔ２は、以下のように算出される。
【００７９】
Ｔ２＝α０×Ｔｎｒ／Ｒ
＝３８４（ｋｂｐｓ）×４（ｈ）／１０００（ｋｂｐｓ）＝１．５３６（ｈ）である。
【００８０】
したがって、１１／９夜間時間帯において、本来転送すべき番組データの転送に要する時間Ｔ３は、以下のように算出される。
【００８１】
Ｔ３＝Ｔ１＋Ｔ２
＝０．７６８（ｈ）＋１．５３６（ｈ）＝２．３０４（ｈ）
以上より、Ｔａ＞Ｔ３となり、１１／９夜間時間帯において、本来転送すべき番組データの転送を完了することができる。したがって、図２のフローチャートでは、ステップＳ１０４でＮＯとなり、番組の録画の取消し、あるいは圧縮レートの変更などが行なわれず、図８の録画スケジュールは修正されない。
【００８２】
（録画および転送スケジュールの例３）
次に、録画および転送スケジュールの別の例を説明する。
【００８３】
図１１（ａ）は、録画スケジュールの例を表わす図である。図１１（ｂ）は、変更後の録画スケジュールの例を表わす図である。図１２は、図１１（ａ）の録画スケジュールに基づく転送スケジュールの例を表わす図である。図１３（ａ）は、図１１（ａ）の録画スケジュールおよび図１２の転送スケジュールを簡略化して併記した図である。図１３（ｂ）は、図１３（ａ）中の一部の詳細を表わす図である。
【００８４】
夜間時間帯を午前２時〜午前６時とすると、Ｔｙ＝４ｈ（時間）となる。図１１（ａ）を参照すると、録画と転送とがいずれも行なわれる１１／９夜間時間帯の番組ＡＡの録画時間Ｔｙｒ＝２ｈである。したがって、１１／９夜間時間帯において転送処理に割当て可能な時間Ｔａは、以下のように算出される。
【００８５】
Ｔａ＝（Ｔｙ−Ｔｙｒ）＋Ｔｙｒ／２
＝（４（ｈ）−２（ｈ））＋２（ｈ）／２＝３（ｈ）
また、通常時の転送レートＲ＝１０００（ｋｂｐｓ）とし、デフォルトの圧縮レートα０＝３８４（ｋｂｐｓ）とすると、１１／９夜間時間帯に録画した番組データの転送に必要な時間Ｔ１は、以下のように算出される。
【００８６】
Ｔ１＝α０×Ｔｙｒ／Ｒ
＝３８４（ｋｂｐｓ）×２（ｈ）／１０００（ｋｂｐｓ）＝０．７６８（ｈ）
また、図１１（ａ）を参照すると、録画と転送とがいずれも行なわれる１１／９夜間時間帯の直前の１１／８日中時間帯の番組Ｄ、Ｅ、Ｆ、Ｋの録画時間はＴｎｒ＝８ｈである。したがって、１１／８日中時間帯に録画した番組データの転送に必要な時間Ｔ２は、以下のように算出される。
【００８７】
Ｔ２＝α０×Ｔｎｒ／Ｒ
＝３８４（ｋｂｐｓ）×８（ｈ）／１０００（ｋｂｐｓ）＝３．０７２（ｈ）である。
【００８８】
したがって、１１／９夜間時間帯において、本来転送すべき番組データの転送に要する時間Ｔ３は、以下のように算出される。
【００８９】
Ｔ３＝Ｔ１＋Ｔ２
＝０．７６８（ｈ）＋３．０７２（ｈ）＝３．８４（ｈ）
以上より、Ｔａ＜Ｔ３となり、１１／９夜間時間帯において、本来転送すべき番組データの転送を完了することができない。したがって、したがって、図２のフローチャートでは、ステップＳ１０４でＹＥＳとなり、ステップＳ１０５で図１４に示すような画面が表示される。この画面には、警告メッセージ“１１／９夜間は転送が完了しません。”が含まれる。
【００９０】
ユーザが、この警告メッセージとともに表示されるメニュー（“圧縮レートを変更しますか？”、“録画番組数を減らしますか？”）を選択することで、圧縮レートの変更、または選択した番組の録画設定の取消しのいずれかが行なわれる。
【００９１】
（圧縮レートの変更の例）
次に、前述の例３の場合において、ステップＳ１０７の圧縮レートを計算する処理の例を説明する。
【００９２】
前述のように、１１／９夜間時間帯の番組ＡＡの録画時間Ｔｙｒ＝２ｈであり、１１／８日中時間帯の番組Ｄ、Ｅ、Ｆ、Ｋの録画時間はＴｎｒ＝８ｈである。また、通常時の転送レートＲ＝１０００（ｋｂｐｓ）であり、デフォルトの圧縮レートα０＝３８４（ｋｂｐｓ）である。したがって、１１／８日中時間帯および１１／９夜間時間帯に録画した番組データの転送に要する時間Ｔｘは、以下のように算出される。
【００９３】
Ｔｘ＝（α０×Ｔｙｒ＋Ｘ×Ｔｎｒ）／Ｒ
＝（３８４（ｋｂｐｓ）×２（ｈ）＋Ｘ（ｋｂｐｓ）×８（ｈ）／１０００（ｋｂｐｓ）＝０．７６８＋０．００８×Ｘ
また、前述のように、１１／９夜間時間帯において転送処理に割当て可能な時間Ｔａは、３ｈである。
【００９４】
以上より、Ｔａ≧ＴｘとなるためのＸの範囲を算出すると、Ｘ≦２７９となる。
【００９５】
したがって、２７９ｋｂｐｓ以下の最も低い圧縮レート（つまり、２７９ｋｂｐｓ以下の最も大きな値の圧縮レート）が選択される。ここでは、α３が選択されたものとする。
【００９６】
これにより、図１１（ａ）の録画スケジュールが図１１（ｂ）の録画スケジュールに変更される。図１１（ｂ）に示すように、１１／８日中時間帯の番組Ｄ、Ｅ、Ｆ、Ｋの圧縮レートがα３に変更されている。
【００９７】
（録画設定の取消しの例）
次に、ステップＳ１０８の録画設定を取消す処理の例を説明する。
【００９８】
図１５は、図１４の画面で、“録画番組数を減らしますか？”のメニューを選択したときに表示される画面である。
【００９９】
図１５に示すように、１１／９夜間時間帯において転送されるべき、録画設定されている番組Ｄ、Ｅ、Ｆ、Ｋ、ＡＡの放送チャンネルと放送時刻とが表示される。
【０１００】
ユーザが録画設定を取消しする番組を選択して、“実行”を選択することで、選択された番組が録画スケジュールおよび転送スケジュールから消去される。ここでは、番組Ｆと番組Ｋが選択されたものとする。
【０１０１】
これにより、図１１（ａ）の録画スケジュールが図１６の録画スケジュールに変更される。図１６に示すように、１１／８日中時間帯において番組Ｆと番組Ｋとが消去されている。また、図１２の転送スケジュールが図１７の転送スケジュールに変更される。図１７に示すように、１１／９夜間時間帯において番組Ｆと番組Ｋが消去されている。
【０１０２】
以上のように、第１の実施形態に係る番組記録再生システムによれば、録画と転送の両方が行なわれる夜間時間帯において、本来転送すべき番組データ、つまり直前の日中時間帯に録画する番組の番組データと、その夜間時間帯で録画する番組の番組データの転送が完了できないときには、日中時間帯に録画する番組の番組データの圧縮レートを高くして録画し転送量を少なくことにより、その夜間時間帯に転送が完了するので、ユーザは、その夜間時間帯の直後の日中時間帯には転送された番組データを再生することができ、迅速な再生が可能となる。
【０１０３】
［第１の実施形態の変形例１］
本変形例は、圧縮レートの変更の変形例である。
【０１０４】
第１の実施形態では、録画と転送とがいずれも行なわれる夜間時間帯の番組の圧縮レートをα０（低い、つまり高品質）に保ちつつ、録画と転送とがいずれも行なわれる夜間時間帯の直前の日中時間帯の番組の圧縮レートを高く、つまり低品質に変化させた。
【０１０５】
本変形例では、録画と転送とがいずれも行なわれる夜間時間帯の直前の日中時間帯の番組の圧縮レートだけでなく、録画と転送とがいずれも行なわれる夜間時間帯の番組の圧縮レートも高く、つまり低品質に変化させる。
【０１０６】
つまり、本変形例では、第１の実施形態の図４のステップＳ３０１を以下のように変形させる。
【０１０７】
番組記録装置１０の記録制御部１４は、夜間時間帯をＴｙ時間、夜間時間帯の番組の録画時間をＴｙｒ時間、日中時間帯の番組の録画時間をＴｎｒ時間、通常時の転送レートをＲ（ｋｂｐｓ）としたときに、録画と転送とがいずれも行なわれる夜間時間帯の番組の録画において、番組データを圧縮レートＸ（ｋｂｐｓ）で圧縮して記録したときに、その番組データの転送に必要な時間Ｔ１＝Ｘ×Ｔｙｒ／Ｒと、録画と転送とがいずれも行なわれる夜間時間帯の直前の日中時間帯の番組の録画において、番組データを圧縮レートＸ（ｋｂｐｓ）で圧縮して記録したときに、その番組データの転送に必要な時間Ｔ２＝Ｘ×Ｔｎｒ／Ｒとを合計した転送時間Ｔｘ＝Ｘ×（Ｔｙｒ＋Ｔｎｒ）／Ｒと、録画と転送とがいずれも行なわれる夜間時間帯において転送処理に割当て可能な時間Ｔａ＝（Ｔｙ−Ｔｙｒ）＋Ｔｙｒ／２との大きさの関係がＴａ≧ＴｘとなるためのＸの範囲を算出する。
【０１０８】
以下、変更前の録画スケジュールが図１１（ａ）のときの処理の具体例を説明する。
【０１０９】
前述のように、１１／９夜間時間帯の番組ＡＡの録画時間Ｔｙｒ＝２ｈであり、１１／８日中時間帯の番組Ｄ、Ｅ、Ｆ、Ｋの録画時間はＴｎｒ＝８ｈである。また、通常時の転送レートＲ＝１０００（ｋｂｐｓ）であり、デフォルトの圧縮レートα０＝３８４（ｋｂｐｓ）である。したがって、１１／８日中時間帯および１１／９夜間時間帯に録画した番組データの転送に要する時間Ｔｘは、以下のように算出される。
【０１１０】
Ｔｘ＝Ｘ×（Ｔｙｒ＋Ｔｎｒ）／Ｒ
＝Ｘ（ｋｂｐｓ）×（２（ｈ）＋８（ｈ））／１０００（ｋｂｐｓ）＝０．０１×Ｘ
また、前述のように、１１／９夜間時間帯において転送処理に割当て可能な時間Ｔａは、３ｈである。
【０１１１】
Ｔａ≧ＴｘとなるためのＸの範囲を算出すると、Ｘ≦３００である。
【０１１２】
したがって、３００ｋｂｐｓ以下の最も低い圧縮レート（つまり、３００ｋｂｐｓ以下の最も大きな値の圧縮レート）が選択される。ここでは、α２が選択されたものとする。
【０１１３】
図１８は、図１１（ａ）の録画スケジュールが変更された例を表わす図である。図１８に示すように、１１／８日中時間帯の番組Ｄ、Ｅ、Ｆ、Ｋの圧縮レートおよび１１／９夜間時間帯の番組ＡＡの圧縮レートがα２に変更されている。
【０１１４】
［第１の実施形態の変形例２］
本変形例は、圧縮レートの変更の変形例である。
【０１１５】
第１の実施形態では、録画と転送とがいずれも行なわれる夜間時間帯の番組の圧縮レートをα０（低い、つまり高品質）に保ちつつ、録画と転送とがいずれも行なわれる夜間時間帯の直前の日中時間帯の番組の圧縮レートを高く、つまり低品質に変化させた。
【０１１６】
本変形例では、録画と転送とがいずれも行なわれる夜間時間帯の直前の日中時間帯の番組の圧縮レートをα０（低い、つまり高品質）に保ち、録画と転送とがいずれも行なわれる夜間時間帯の番組の圧縮レートを高く、つまり低品質に変化させる。
【０１１７】
つまり、本変形例では、第１の実施形態の図４のステップＳ３０１を以下のように変形させる。
【０１１８】
番組記録装置１０の記録制御部１４は、夜間時間帯をＴｙ時間、夜間時間帯の番組の録画時間をＴｙｒ時間、日中時間帯の番組の録画時間をＴｎｒ時間、通常時の転送レートをＲ（ｋｂｐｓ）としたときに、録画と転送とがいずれも行なわれる夜間時間帯の番組の録画において、番組データを圧縮レートＸ（ｋｂｐｓ）で圧縮して記録したときに、その番組データの転送に必要な時間Ｔ１＝Ｘ×Ｔｙｒ／Ｒと、録画と転送がいずれも行なわれる夜間時間帯の直前の日中時間帯の番組の録画において、番組データをデフォルトの圧縮レートα０（ｋｂｐｓ）で圧縮して記録したときに、その番組データの転送に必要な時間Ｔ２＝α０×Ｔｎｒ／Ｒとを合計した転送時間Ｔｘ＝（Ｘ×Ｔｙｒ＋α０×Ｔｎｒ）／Ｒと、録画と転送とがいずれも行なわれる夜間時間帯において転送処理に割当て可能な時間Ｔａ＝（Ｔｙ−Ｔｙｒ）＋Ｔｙｒ／２との大きさの関係がＴａ≧ＴｘとなるためのＸの範囲を算出する。
【０１１９】
［第１の実施形態の変形例３］
本変形例は、圧縮レートの変更の別の変形例である。
【０１２０】
第１の実施形態では、録画と転送とがいずれも行なわれる夜間時間帯の番組の圧縮レートをα０（低い、つまり高品質）に保ちつつ、録画と転送とがいずれも行なわれる夜間時間帯の直前の日中時間帯の番組の圧縮レートを高く、つまり低品質に変化させた。
【０１２１】
本変形例では、録画と転送とがいずれも行なわれる夜間時間帯の番組および、録画と転送とがいずれも行なわれる夜間時間帯の直前の日中時間帯の番組のうち、圧縮レートを変更する番組と、圧縮レートを変更しない番組とに分類する。この分類は、ユーザの操作によるものとしてもよい。また、夜間時間帯の番組を優先して圧縮レートを変更するものとし、不足分だけ日中時間帯の番組の圧縮レートを変更するものとしてもよいし、その逆であってもよい。
【０１２２】
つまり、本変形例では、第１の実施形態の図４のステップＳ３０１を以下のように変形させる。
【０１２３】
番組記録装置１０の記録制御部１４は、夜間時間帯をＴｙ時間、圧縮レートを変更する番組の録画時間をＴｖ時間、圧縮レートを変更しない番組の録画時間をＴｒ時間、通常時の転送レートをＲ（ｋｂｐｓ）としたときに、圧縮レートを変更する番組の録画において、番組データを圧縮レートＸ（ｋｂｐｓ）で圧縮して記録したときに、その番組データの転送に必要な時間Ｔ１＝Ｘ×Ｔｖ／Ｒと、圧縮レートを変更しない番組の録画において、番組データをデフォルトの圧縮レートα０（ｋｂｐｓ）で圧縮して記録したときに、その番組データの転送に必要な時間Ｔ２＝α０×Ｔｒ／Ｒとを合計した転送時間Ｔｘ＝（Ｘ×Ｔｖ＋α０×Ｔｒ）／Ｒと、録画と転送とがいずれも行なわれる夜間時間帯において転送処理に割当て可能な時間Ｔａ＝（Ｔｙ−Ｔｙｒ）＋Ｔｙｒ／２との大きさの関係がＴａ≧ＴｘとなるためのＸの範囲を算出する。
【０１２４】
以下、変更前の録画スケジュールが図１１（ａ）の場合での変形例を具体的に説明する。
【０１２５】
１１／８の昼間時間帯の番組Ｄ、Ｅ、Ｆ、Ｋおよび１１／９夜間時間帯の番組ＡＡのうち、１１／８の昼間時間帯の番組Ｄおよび１１／９夜間時間帯の番組ＡＡの圧縮レートを変更するとする。
【０１２６】
圧縮レートを変更する番組ＤおよびＡＡの録画時間Ｔｖは、４ｈとなり、圧縮レートを変更しない番組Ｅ、ＦおよびＫの録画時間Ｔｒは、６ｈとなる。また、通常時の転送レートＲ＝１０００（ｋｂｐｓ）であり、デフォルトの圧縮レートα０＝３８４（ｋｂｐｓ）である。したがって、１１／８日中時間帯および１１／９夜間時間帯に録画した番組データの転送に要する時間Ｔｘは、以下のように算出される。
【０１２７】
Ｔｘ＝（Ｘ×Ｔｖ＋α０×Ｔｒ）／Ｒ
＝（Ｘ（ｋｂｐｓ）×４（ｈ）＋３８４（ｋｂｐｓ）×６（ｈ））／１０００（ｋｂｐｓ）＝０．００４×Ｘ＋２．３０４
また、前述のように、１１／９夜間時間帯において転送処理に割当て可能な時間Ｔａは、３ｈである。
【０１２８】
Ｔａ≧ＴｘとなるためのＸの範囲を算出すると、Ｘ≦１７４である。
【０１２９】
したがって、１７４ｋｂｐｓ以下の最も低い圧縮レート（つまり、１７４ｋｂｐｓ以下の最も大きな値の圧縮レート）が選択される。ここでは、α６が選択されたものとする。
【０１３０】
図１９は、図１１（ａ）の録画スケジュールが変更された例を表わす図である。図１９に示すように、１１／８日中時間帯の番組Ｄの圧縮レートおよび１１／９夜間時間帯の番組ＡＡの圧縮レートがα６に変更されている。
【０１３１】
［第１の実施形態の変形例４］
図２０は、第１の実施形態の変形例４に係る番組記録再生システムの動作手順を表わすフローチャートである。
【０１３２】
図２０のフローチャートは、図２に示す第１の実施形態に係る番組記録再生システムの動作手順を表わすフローチャートに、ステップＳ１０３が削除され、ステップＳ１０４がステップＳ２０４に変更され、ステップＳ１０７がステップＳ２０７に変更されている。以下、これらの変更点について説明する。
【０１３３】
第１の実施形態では、夜間時間帯に突発的に録画が行なわない限り、日中時間帯に録画した番組の番組データのすべてを直後の夜間時間帯に転送できることを想定した。これは、日中時間帯の録画設定をするときには、夜間時間帯に転送可能な量だけの録画予約を受付けるという条件を課すことで実現できる。
【０１３４】
したがって、ステップＳ１０４では、番組の録画と番組の転送の両方が行なわれる夜間時間帯のみについて、番組データの転送が完了するのか否かを判断していた。そして、ステップ１０７で、番組データの転送が完了不可能と判断された夜間時間帯では、録画と転送とがいずれも行なわれることを前提に圧縮レートを計算していた。
【０１３５】
一方、本変形例では、日中時間帯の録画設定をするときには、夜間時間帯に転送可能な量だけの録画予約を受付けるという条件を課さないものとする。それゆえ、夜間時間帯に突発的に録画が行なわないときでも、日中時間帯に録画した番組の番組データのすべてを直後の夜間時間帯に転送できることができない場合もある。
【０１３６】
したがって、本変形例のステップＳ２０４では、すべての夜間時間帯において、番組データの転送が完了するか否かを判断するものとする。また、ステップＳ２０７では、番組データの転送が完了不可能と判断された夜間時間帯では、録画と転送とがいずれも行なわれる場合と、転送のみ行なわれる場合があることを想定して圧縮レートを計算する。
【０１３７】
なお、本変形例において、録画が行なわれない夜間時間帯については、第１の実施形態で説明したＴｙｒ、Ｔａ、Ｔ１、Ｔ３、Ｔｘは、以下のように修正される。すなわち、Ｔｙｒ＝０、Ｔａ＝Ｔｙ、Ｔ１＝０、Ｔ３＝Ｔ２、Ｔｘ＝Ｘ×Ｔｎｒ／Ｒとなる。
【０１３８】
録画が行なわれる夜間時間帯については、これらの値は第１の実施形態と同様である。
【０１３９】
［第１の実施形態のその他の変形例］
（圧縮レートの変更）
本発明の第１の実施形態では、夜間時間帯において本来転送すべき番組データの転送が完了するように圧縮レートを計算したが、これに限定するものではなく、たとえば、ユーザが、そのような転送が完了するための圧縮レートを指定するものとしてもよい。
【０１４０】
［第２の実施形態］
第２の実施形態は、夜間時間帯において、夜間時間帯の番組の録画と、その録画した番組の番組データおよび日中時間帯に録画した番組の番組データの転送の両方を行なう場合に、夜間時間帯にそれらの番組データがデフォルトの圧縮レートで圧縮された場合に、それらの番組データの転送が完了できないときに、それらの番組データを複数の夜間時間帯で分割して転送する機能を有する番組記録再生システムに関する。
【０１４１】
図２１は、第２の実施形態に係る番組記録再生システムの動作手順を表わすフローチャートである。
【０１４２】
図２１のフローチャートは、図２に示す第１の実施形態に係る番組記録再生システムの動作手順を表わすフローチャートに、ステップＳ４０１およびステップＳ４０２が追加されている。以下では、追加されたステップＳ４０１およびステップＳ４０２について説明する。
【０１４３】
ステップＳ１０５の警告メッセージの表示後、ステップＳ４０１において、記録制御部１４は、分割転送が可能か否かの判断処理を行なう。
【０１４４】
ステップＳ４０１において分割転送が可能と判断したときには、記録制御部１４は、分割転送するように転送スケジュールを変更する。
【０１４５】
（ステップＳ４０１の処理の詳細）
次に、ステップＳ４０１の詳細を説明する。
【０１４６】
図２２は、ステップＳ４０１における分割転送が可能か否かを判断する処理の詳細を表わすフローチャートである。
【０１４７】
図２２を参照して、番組記録装置１０の記録制御部１４は、録画と転送とがいずれも行なわれる夜間時間帯より後（その日の日中時間帯を含む）Ｎ日以内に録画が行なわれない日があるか否かを調べる（ステップＳ７０１）。
【０１４８】
記録制御部１４は、Ｎ日以内に録画が行なわれない日がある場合には（ステップＳ７０１でＹＥＳ）、その日数ｄを調べ、夜間時間帯をＴｙ時間として、録画と転送とがいずれも行なわれる夜間時間帯より後において転送処理に割当て可能な時間Ｔｂ＝ｄ×Ｔｙを算出する（ステップＳ７０２）。
【０１４９】
次に、番組記録装置１０の記録制御部１４は、夜間時間帯に番組の録画と転送とがいずれも行なわれるときには、転送レートが通常時（非録画時）半分になるものとして、録画が行なわれる夜間時間帯において転送処理に割当て可能な時間Ｔａを算出する。夜間時間帯をＴｙ時間、夜間時間帯の番組の録画時間をＴｙｒ時間、通常時の転送レートをＲ（ｋｂｐｓ）としたときに、Ｔａ＝（Ｔｙ−Ｔｙｒ）＋Ｔｙｒ／２により算出される（ステップＳ７０３）。
【０１５０】
次に、記録制御部１４は、分割転送処理に割当て可能な時間ＴｃをＴｃ＝Ｔｂ＋Ｔａより算出する（ステップＳ７０４）。
【０１５１】
次に、記録制御部１４は、録画と転送とがいずれも行なわれる夜間時間帯の各番組の録画において、番組データをデフォルトの圧縮レートα０（ｋｂｐｓ）で圧縮して記録したときに、それらの番組データの転送に要する時間Ｔ１をＴ１＝α０×Ｔｙｒ／Ｒの式で算出する（ステップＳ７０５）。
【０１５２】
次に、記録制御部１４は、録画が行なわれる夜間時間帯の直前の日中時間帯の各番組の録画において、番組データをデフォルトの圧縮レートα０（ｋｂｐｓ）で圧縮して記録したときに、それらの番組データの転送に要する時間Ｔ２を算出する。日中時間帯の番組の録画時間をＴｎｒ時間としたときに、Ｔ２＝α０×Ｔｎｒ／Ｒにより算出される（ステップＳ７０６）。
【０１５３】
次に、記録制御部１４は、録画が行なわれる夜間時間帯において本来転送すべき番組データの転送に要する時間Ｔ３をＴ１とＴ２とを合計して算出する（ステップＳ７０７）。
【０１５４】
次に、記録制御部１４は、分割転送処理に割当て可能な時間Ｔｃと転送時間Ｔ３の大きさを比較し、Ｔｃ≧Ｔ３のときには（ステップＳ７０８でＮＯ）、番組データの分割転送が完了可能と判断し、図２１に示すステップＳ４０２に進む。
【０１５５】
一方、記録制御部１４は、Ｔｃ＜Ｔ３のときには（ステップＳ７０８でＹＥＳ）、番組データの分割転送が完了不可能と判断し、図２１に示すステップ１０６に進む。
【０１５６】
（ステップＳ４０２の処理の詳細）
次に、ステップＳ４０２の詳細を説明する。
【０１５７】
図２３は、ステップＳ４０２における分割転送への変更処理の詳細を表わすフローチャートである。
【０１５８】
図２３を参照して、記録制御部１４は、ｎ＝１とし（ステップＳ６０１）、ｎ日追加したときの分割転送処理に割当て可能な時間Ｔｃ′＝Ｔａ＋ｎ×Ｔｙを算出する（ステップＳ６０２）。
【０１５９】
記録制御部１４は、Ｔｃ′≧Ｔ３のときには（ステップＳ６０３でＹＥＳ）、録画と転送とがいずれも行なわれる夜間時間帯およびその夜間時間帯より後の録画が行なわれないｎ日で分割転送が可能と判断し、録画が行なわれる夜間時間帯と、その夜間時間帯より後の録画が行なわれない最も早いｎ日で番組データが分割転送されることを定めた転送スケジュールを作成する（ステップＳ６０４）。
【０１６０】
一方、記録制御部１４は、Ｔｃ′＜Ｔ３のときには（ステップＳ６０３でＮＯ）、ｎを１だけインクリメントして、ステップＳ６０２にもどる（ステップＳ６０５）。
【０１６１】
（分割転送の例）
次に、分割転送の例を説明する。
【０１６２】
図２４は、録画スケジュールの例を表わす図である。図２５は、図２４の録画スケジュールに基づく転送スケジュールの例を表わす図である。図２６は、図２４の録画スケジュールおよび図２５の転送スケジュールを簡略化して併記した図である。
【０１６３】
まず、分割転送が可能か否かの判断の例を説明する。
【０１６４】
図２４を参照すると、録画と転送とがいずれも行なわれる１１／８夜間時間帯より後（１１／８日中時間帯を含む）のＮ日以内（Ｎ＝４）に録画が行なわれない日が１１／８、１１／１０、１１／１１なので、日数ｄ＝３である。
【０１６５】
夜間時間帯を午前２時〜午前６時とすると、Ｔｙ＝４ｈ（時間）となる。したがって、１１／８夜間時間帯以降で転送処理に割当て可能な時間Ｔｂは、以下のように算出される。
【０１６６】
Ｔｂ＝ｄ×Ｔｙ＝３×４（ｈ）＝１２（ｈ）
図２４を参照すると、１１／８夜間時間帯の番組ＡＡの録画時間Ｔｙｒ＝２ｈである。したがって、１１／８夜間時間帯において転送処理に割当て可能な時間Ｔａは、以下のように算出される。
【０１６７】
Ｔａ＝（Ｔｙ−Ｔｙｒ）＋Ｔｙｒ／２
＝（４（ｈ）−２（ｈ））＋２（ｈ）／２＝３（ｈ）
したがって、分割転送処理に割当て可能な時間Ｔｃは、以下のように算出される。
【０１６８】
Ｔｃ＝Ｔａ＋Ｔｂ＝３（ｈ）＋１２（ｈ）＝１５（ｈ）
また、通常時の転送レートＲ＝１０００（ｋｂｐｓ）とし、デフォルトの圧縮レートα０＝３８４（ｋｂｐｓ）とすると、１１／８夜間時間帯に録画した番組データの転送に必要な時間Ｔ１は、以下のように算出される。
【０１６９】
Ｔ１＝α０×Ｔｙｒ／Ｒ
＝３８４（ｋｂｐｓ）×２（ｈ）／１０００（ｋｂｐｓ）＝０．７６８（ｈ）
また、図２４を参照すると、１１／７日中時間帯の番組Ａ、Ｂ、Ｃの録画時間はＴｎｒ＝１８ｈである。したがって、１１／７日中時間帯に録画した番組データの転送に必要な時間Ｔ２は、以下のように算出される。
【０１７０】
Ｔ２＝α０×Ｔｎｒ／Ｒ
＝３８４（ｋｂｐｓ）×１８（ｈ）／１０００（ｋｂｐｓ）＝６．９１２（ｈ）である。
【０１７１】
したがって、１１／８夜間時間帯において本来転送すべき番組データの転送に要する時間Ｔ３は、以下のように算出される。
【０１７２】
Ｔ３＝Ｔ１＋Ｔ２
＝０．７６８（ｈ）＋６．９１２（ｈ）＝７．６８（ｈ）
以上より、Ｔｃ≧Ｔ３となり、１１／９夜間時間帯において本来転送すべき番組データを、１１／８夜間時間帯と、それ以降（１１／８日中時間帯を含む）のＮ日以内（Ｎ＝４）で分割して転送することができると判断される。
【０１７３】
次に、分割転送への変更処理の例を説明する。
【０１７４】
ｎ＝１のときには、ｎ日追加したときの分割転送処理に割当て可能な時間Ｔｃ′は、以下のように算出される。
【０１７５】
Ｔｃ′＝Ｔａ＋ｎ×Ｔｙ
＝３（ｈ）＋１×４（ｈ）＝７（ｈ）
この場合、Ｔｃ′＜Ｔ３だから、ｎ日追加で分割転送が不可能と判断される。
【０１７６】
次に、ｎ＝２のときには、ｎ日追加したときの分割転送処理に割当て可能な時間Ｔｃ′は、以下のように算出される。
【０１７７】
Ｔｃ′＝Ｔａ＋ｎ×Ｔｙ
＝３（ｈ）＋２×４（ｈ）＝１１（ｈ）
この場合、Ｔｃ′≧Ｔ３より、ｎ日追加で分割転送が可能と判断される。したがって、図２５の転送スケジュールに示すように、１１／８夜間時間帯に本来転送すべき番組データは、１１／８夜間時間帯と、１１／８以降、録画が行なわれない最も早い２日間、つまり１１／９と１１／１０において、分割転送される。
【０１７８】
以上のように、第２の実施形態に係る番組記録再生システムによれば、録画と転送の両方が行なわれる夜間時間帯において、本来転送すべき番組データ、つまり直前の日中時間帯に録画する番組の番組データと、その夜間時間帯で録画する番組の番組データの転送が完了できないときには、その夜間時間帯に加えて、その夜間時間帯の後続の夜間時間帯において、本来転送すべき番組データを転送するので、番組再生装置は、第１の実施形態のように圧縮レートが高くなることなく番組データを取得することができ、番組データの再生時に画質などが悪くなるのを防止することができる。
【０１７９】
［第２の実施形態の変形例１］
図２７は、第２の実施形態の変形例１に係る番組記録再生システムの動作手順を表わすフローチャートである。
【０１８０】
図２７のフローチャートは、図２１に示す第２の実施形態に係る番組記録再生システムの動作手順を表わすフローチャートに、ステップＳ１０３が削除され、ステップＳ１０４がステップＳ２０４に変更され、ステップＳ１０７がステップＳ２０７に変更されている。なお、ステップＳ２０４およびステップＳ２０７は、図２０に示すステップＳ２０４およびステップＳ２０７と同様である。また、図２７のフローチャートでは、図２１のフローチャートステップＳ４０１およびＳ４０２がステップＳ５０１およびＳ５０２に変更されている。
【０１８１】
第２の実施形態では、夜間時間帯に突発的に録画が行なわない限り、日中時間帯に録画した番組の番組データのすべてを直後の夜間時間帯に転送できることを想定した。これは、日中時間帯の録画設定をするときには、夜間時間帯に転送可能な量だけの録画予約を受付けるという条件を課すことで実現できる。
【０１８２】
したがって、ステップＳ１０４では、番組の録画と番組の転送の両方が行なわれる夜間時間帯のみについて、番組データの転送が完了するのか否かを判断していた。また、ステップ１０７で、番組データの転送が完了不可能と判断された夜間時間帯では、録画と転送とがいずれも行なわれることを前提に圧縮レートを計算していた。また、ステップＳ５０１およびＳ５０２では、番組の録画と番組の転送の両方が行なわれる夜間時間帯のみについて、分割転送が可能か否かの判断および分割転送への変更を行なっていた。
【０１８３】
一方、本変形例では、日中時間帯の録画設定をするときには、夜間時間帯に転送可能な量だけの録画予約を受付けるという条件を課さないものとする。それゆえ、夜間時間帯に突発的に録画が行なわないときでも、日中時間帯に録画した番組の番組データのすべてを直後の夜間時間帯に転送できることができない場合もある。
【０１８４】
したがって、本変形例のステップＳ２０４では、すべての夜間時間帯において、番組データの転送が完了するか否かを判断するものとする。また、ステップＳ２０７では、番組データの転送が完了不可能と判断された夜間時間帯では、録画と転送とがいずれも行なわれる場合と、転送のみ行なわれる場合があることを想定して圧縮レートを計算する。また、ステップＳ５０１およびＳ５０２では、同様に、番組データの転送が完了不可能と判断された夜間時間帯では、録画と転送とがいずれも行なわれる場合と、転送のみ行なわれる場合があることを想定して、分割転送が可能か否かの判断および分割転送への変更を行なう。
【０１８５】
なお、本変形例において、録画が行なわれない夜間時間帯については、第２の実施形態で説明したＴｙｒ、Ｔａ、Ｔ１、Ｔ３、Ｔｘは、以下のように修正される。すなわち、Ｔｙｒ＝０、Ｔａ＝Ｔｙ、Ｔ１＝０、Ｔ３＝Ｔ２となる。
【０１８６】
録画が行なわれる夜間時間帯については、これらの値は第２の実施形態と同様である。
【０１８７】
［第２の実施形態の変形例２］
第２の実施形態では、録画と転送とがいずれも行なわれる夜間時間帯およびその夜間時間帯より後の録画が行なわれないｎ日で分割転送が可能と判断したときには、録画と転送とがいずれも行なわれる夜間時間帯と、その夜間時間帯より後の録画が行なわれない最も早いｎ日で番組データが分割転送されることを定めた転送スケジュールを作成するものとしたが、本変形例では、録画と転送とがいずれも行なわれる夜間時間帯と、録画と転送とがいずれも行なわれる夜間時間帯より後（その日の日中時間帯を含む）Ｎ日以内に録画が行なわれないｄ日の夜間時間帯とで、分割転送を行なう。
【０１８８】
本変形例では、第２の実施形態の図２３のステップＳ６０１〜Ｓ６０５は、以下のように変形される。
【０１８９】
記録制御部１４は、録画と転送とがいずれも行なわれる夜間時間帯と、その夜間時間帯より後（その日の日中時間帯を含む）Ｎ日以内に録画が行なわれないｄ日の夜間時間帯とで番組データが分割転送されることを定めた転送スケジュールを作成する。
【０１９０】
また、番組データの転送が行なわれる夜間時間帯は、録画と転送とがいずれも行なわれる日と、録画が行なわれないｄ日の計（ｄ＋１）個ある。したがって、各夜間時間帯において番組データの転送に要する時間Ｔｄは、均等になるように、Ｔｄ＝Ｔ３／（ｄ＋１）により算出される。算出された時間Ｔｄは、転送スケジュールに書込まれる。転送制御部１７は、設定された時間Ｔｄを遵守することによって、番組データを各夜間時間帯で均等に転送する。
【０１９１】
図２８は、第２の実施形態の変形例２における分割転送への変更例を表わす図である。図２８に示すように、１１／７日中時間帯および１１／８夜間時間帯に録画された番組データは、１１／８夜間時間帯と、１１／８夜間時間帯より後Ｎ日（Ｎ＝４）以内に録画が行なわれない１１／９、１０、１２の夜間時間帯とで均等に分割転送される。
【０１９２】
［第２の実施形態の変形例３］
第２の実施形態では、録画と転送とがいずれも行なわれる夜間時間帯およびその夜間時間帯より後の録画が行なわれないｎ日で分割転送が可能と判断したときには、録画と転送とがいずれも行なわれる夜間時間帯と、その夜間時間帯より後の録画が行なわれない最も早いｎ日で番組データが分割転送されることを定めた転送スケジュールを作成するものとしたが、本変形例では、まず、変形例１と同様に、すべての夜間時間帯において、番組データの転送が完了可能か否かを判断する。
【０１９３】
さらに、本変形例では、ある夜間時間帯で本来転送すべき番組データ（その夜間時間帯に録画した番組の番組データ、およびその夜間時間帯の直前の日中時間帯に録画した番組の番組データ）の転送が完了不可能な場合には、その夜間時間帯と、その後の夜間時間帯における転送の空き時間、すなわちその後の夜間時間帯において本来転送すべき番組データ（その後の夜間時間帯に録画した番組の番組データ、およびその後の夜間時間帯の直前の日中時間帯に録画した番組の番組データ）の転送が完了した後の残りの時間を用いて、ある夜間時間帯で本来転送すべき番組データを転送する。
【０１９４】
図２９は、第２の実施形態の変形例３における分割転送の例を表わす図である。
図２９に示すように、１１／７日中時間帯に録画し、１１／８夜間時間帯において本来転送すべき番組Ａ、Ｂ、Ｃ、Ｄ、Ｅ、Ｆの番組データが、１１／８夜間時間帯、１１／９夜間時間帯のうち番組Ｇの番組データの転送の後の残りの時間、１１／１０夜間時間帯のうち番組Ｈの番組データの転送の後の残りの時間、および１１／１１夜間時間帯のうち番組Ｉ、Ｊの番組データの転送の後の残りの時間で、分割転送される。
【０１９５】
［第２の実施形態のその他の変形例］
第２の実施形態では、番組記録装置はエンコーダを備え、受信した番組データを圧縮して本体記憶部に記憶し、番組再生装置はデコーダを備え、番組記録装置からの番組データを解凍して再生するものとしたが、これに限定するものではない。番組記録装置は、受信した番組データを圧縮せずに本体記憶部に記憶し、番組再生装置は、番組記録装置からの番組データを解凍しないで再生するものとしてもよい。
【０１９６】
（全体の変形例）
本発明は、上記の実施形態に限定されるものではなく、たとえば以下のような変形例も含む。
【０１９７】
（１）  番組データについて
本発明の実施形態では、放送局から映像および音声からなる番組データを受信して、映像および音声からなる番組データをＭＰＥＧ形式で圧縮したが、これに限定するものではない。たとえば、放送局から音声のみからなる番組データ（楽曲データ）を受信して、音声のみからなる番組データをＭＰ３（MPEG Audio Layer-3）形式で圧縮するものとしてもよい。
【０１９８】
（２）  ユーザの選択
本発明の第１の実施形態では、夜間時間帯において本来転送すべき番組データの転送が完了しない場合には、ユーザの選択によって、番組の録画設定の取消し、または番組データの圧縮レートの変更のいずれかを行なったが、これに限定するものではなく、番組記録装置が、自動的にいずれかを実行するものとしてもよい。また、第１の実施形態では、番組の録画設定の取消しにおいて、録画設定を取消す番組をユーザが選択したが、これも番組記録装置が、転送が完了するのに必要な分だけ自動的に取消す番組を選択するものとしてもよい。
【０１９９】
また、第２の実施形態では、夜間時間帯において本来転送すべき番組データの転送が完了しない場合には、まず、分割転送が可能か否かを判断し、分割転送が不可能な場合に、ユーザの選択で番組の録画設定の取消し、または番組データの圧縮レートの変更のいずれかを行なったが、これに限定するものではない。たとえば、夜間時間帯において本来転送すべき番組データの転送が完了しない場合に、ユーザの選択によって、分割転送、番組の録画設定の取消し、または番組データの圧縮レートの変更のいずれかを行なうものとしてもよい。
【０２００】
（３）  圧縮レート
本発明の実施形態では、最も低い圧縮レートα０を標準（デフォルト）の圧縮レートとしたが、これに限定するものではなく、任意の圧縮レートを標準（デフォルト）の圧縮レートとしてもよく、ユーザの指定によって標準（デフォルト）の圧縮レートを定めるものとしてもよい。
【０２０１】
（４）  転送レート
本発明の実施形態では、夜間時間帯に番組の録画と転送のいずれもが行なわれるときには、転送レートが通常時（非録画時）半分になるものとしたが、これは一例であって、実際に使用する番組記録装置において、どれだけ転送レートが下がるかを測定し、測定した値を用いるようにすればよい。
【０２０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２０３】
【図１】第１の実施形態に係る番組記録再生システムの構成を示す図である。
【図２】第１の実施形態に係る番組記録再生システムの動作手順を表わすフローチャートである。
【図３】ステップＳ１０４における本来転送すべき番組データの転送が完了可能か否かを判断する処理の詳細を表わすフローチャートである。
【図４】ステップＳ１０７における圧縮レートを計算する処理の詳細を表わすフローチャートである。
【図５】録画スケジュールの例を表わす図である。
【図６】図５の録画スケジュールに基づく転送スケジュールの例を表わす図である。
【図７】図５の録画スケジュールおよび図６の転送スケジュールを簡略化して併記した図である。
【図８】録画スケジュールの例を表わす図である。
【図９】図８の録画スケジュールに基づく転送スケジュールの例を表わす図である。
【図１０】（ａ）は、図８の録画スケジュールおよび図９の転送スケジュールを簡略化して併記した図である。（ｂ）は、（ａ）中の一部の詳細を表わす図である。
【図１１】（ａ）は、録画スケジュールの例を表わす図である。（ｂ）は、変更後の録画スケジュールの例を表わす図である。
【図１２】図１１（ａ）の録画スケジュールに基づく転送スケジュールの例を表わす図である。
【図１３】（ａ）は、図１１（ａ）の録画スケジュールおよび図１２の転送スケジュールを簡略化して併記した図である。（ｂ）は、（ａ）中の一部の詳細を表わす図である。
【図１４】警告メッセージを含む画面の例を表わす図である。
【図１５】図１４の画面で、“録画番組数を減らしますか？”のメニューを選択したときに表示される画面を表わす図である。
【図１６】図１１（ａ）の録画スケジュールが変更された例を表わす図である。
【図１７】図１２の転送スケジュールが変更された例を表わす図である。
【図１８】図１１（ａ）の録画スケジュールが変更された例を表わす図である。
【図１９】図１１（ａ）の録画スケジュールが変更された例を表わす図である。
【図２０】第１の実施形態の変形例４に係る番組記録再生システムの動作手順を表わすフローチャートである。
【図２１】第２の実施形態に係る番組記録再生システムの動作手順を表わすフローチャートである。
【図２２】ステップＳ４０１における分割転送が可能か否かを判断する処理の詳細を表わすフローチャートである。
【図２３】ステップＳ４０２における分割転送への変更処理の詳細を表わすフローチャートである。
【図２４】録画スケジュールの例を表わす図である。
【図２５】図２４の録画スケジュールに基づく転送スケジュールの例を表わす図である。
【図２６】図２４の録画スケジュールおよび図２５の転送スケジュールを簡略化して併記した図である。
【図２７】第２の実施形態の変形例１に係る番組記録再生システムの動作手順を表わすフローチャートである。
【図２８】第２の実施形態の変形例２における分割転送への変更例を表わす図である。
【図２９】第２の実施形態の変形例３における分割転送の例を表わす図である。
【符号の説明】
【０２０４】
５，２７  ディスプレイ、１０  番組記録装置、１１，２２  操作入力部、１２  チューナ、１３  エンコーダ、１４，２３  記録制御部、１５  送信部、１６  本体記憶部、１７  転送制御部、１８  録画スケジュール記憶部、１９  転送スケジュール記憶部、２０  番組再生装置、２４  デコーダ、２５  受信部、２６  端末記憶部、２８  スピーカ。
【図１】
2006157485.tif 000003
【図２】
2006157485.tif 000004
【図３】
2006157485.tif 000005
【図４】
2006157485.tif 000006
【図５】
2006157485.tif 000007
【図６】
2006157485.tif 000008
【図７】
2006157485.tif 000009
【図８】
2006157485.tif 000010
【図９】
2006157485.tif 000011
【図１０】
2006157485.tif 000012
【図１１】
2006157485.tif 000013
【図１２】
2006157485.tif 000014
【図１３】
2006157485.tif 000015
【図１４】
2006157485.tif 000016
【図１５】
2006157485.tif 000017
【図１６】
2006157485.tif 000018
【図１７】
2006157485.tif 000019
【図１８】
2006157485.tif 000020
【図１９】
2006157485.tif 000021
【図２０】
2006157485.tif 000022
【図２１】
2006157485.tif 000023
【図２２】
2006157485.tif 000024
【図２３】
2006157485.tif 000025
【図２４】
2006157485.tif 000026
【図２５】
2006157485.tif 000027
【図２６】
2006157485.tif 000028
【図２７】
2006157485.tif 000029
【図２８】
2006157485.tif 000030
【図２９】
2006157485.tif 000031